(57)【要約】【課題】  プラズマ表示装置で消費電力を最少化する方法を提供する。【解決手段】  プラズマ表示パネルにおいて、各サブフィールドにおける画面負荷率によって維持放電パルスの周波数を異ならせて設定する。維持放電パルスの周波数が増加すれば電力回収率減少によって無効電力は増加する反面、放電効率向上によって有効電力は減少する。特に、画面負荷率が増加すれば無効電力の増加量には変化がないが、有効電力の減少量が増加するので、維持放電パルスの周波数を増加させる。その結果、維持放電による消費電力を最少化することができる。【選択図】  図７
2006146157.tif 000002
【特許請求の範囲】
【請求項１】
複数の第１電極及び前記複数の第１電極と共に表示動作を行う複数の第２電極を含むプラズマ表示パネルと、
維持期間で前記第１電極の電圧から前記第２電極の電圧を引いた電圧が正の電圧と負の電圧を交互に有するように前記第１電極と第２電極のうちの少なくとも一つの電極に少なくとも一つの維持放電パルスを印加する駆動部と、
一つのフレームを各々の加重値を有する複数のサブフィールドに分割して駆動し、各サブフィールドまたは各フレームの画面負荷率を計算して前記維持放電パルスの周波数を制御する制御部とを含むプラズマ表示装置。
【請求項２】
前記制御部は、第１画面負荷率を有する第１サブフィールドにおける前記維持放電パルスの周波数を前記第１画面負荷率より大きい第２画面負荷率を有する第２サブフィールドにおける前記維持放電パルスの周波数と異ならせて設定する、請求項１に記載のプラズマ表示装置。
【請求項３】
前記制御部は、前記第２サブフィールドにおける前記維持放電パルスの周波数を前記第１サブフィールドにおける前記維持放電パルスの周波数より高く設定する、請求項２に記載のプラズマ表示装置。
【請求項４】
前記制御部は、前記第２サブフィールドにおける前記維持放電パルスの電圧変更時間を前記第１サブフィールドにおける前記維持放電パルスの電圧変更時間より短く設定する、請求項２に記載のプラズマ表示装置。
【請求項５】
前記制御部は、第１画面負荷率を有する第１フレームにおける前記維持放電パルスの周波数を前記第１画面負荷率より大きい第２画面負荷率を有する第２フレームにおける前記維持放電パルスの周波数と異ならせて設定する、請求項１に記載のプラズマ表示装置。
【請求項６】
前記制御部は、前記第２フレームにおける前記維持放電パルスの周波数を前記第１フレームにおける前記維持放電パルスの周波数より高く設定する、請求項５に記載のプラズマ表示装置。
【請求項７】
前記制御部は、前記第２フレームにおける前記維持放電パルスの電圧変更時間を前記第１フレームにおける前記維持放電パルスの電圧変更時間より短く設定する、請求項５に記載のプラズマ表示装置。
【請求項８】
前記各サブフィールドの画面負荷率は前記サブフィールドで点灯される放電セルの個数に定義される、請求項１〜７のいずれか一項に記載のプラズマ表示装置。
【請求項９】
前記制御部は、一つのフレームの映像データ平均信号レベルから一つのフレームの画面負荷率を決定し、前記一つのフレームの画面負荷率によって前記一つのフレームに割当てられる前記維持放電パルスの全個数を決定する、請求項１〜７のいずれか一項に記載のプラズマ表示装置。
【請求項１０】
前記制御部は、前記画面負荷率による前記維持放電パルスの周波数を保存している、請求項１〜７のいずれか一項に記載のプラズマ表示装置。
【請求項１１】
前記維持期間において、
前記維持放電パルスは、第１電圧と第２電圧を交互に有する第１維持放電パルスと、前記第１維持放電パルスと反対位相を有する第２維持放電パルスとを含み、
前記駆動部は、前記第１維持放電パルスを前記第１電極に印加し、前記第２維持放電パルスを前記第２電極に印加する、請求項１〜７のいずれか一項に記載のプラズマ表示装置。
【請求項１２】
前記維持期間において、
前記維持放電パルスは、第１電圧より高い第２電圧と前記第１電圧より低い第３電圧を交互に有し、
前記駆動部は、前記第１電極を前記第１電圧でバイアスした状態で前記維持放電パルスを前記第２電極に印加する、請求項１〜７のいずれか一項に記載のプラズマ表示装置。
【請求項１３】
前記プラズマ表示パネルは前記第１及び第２電極と交差する方向に伸びている複数の第３電極をさらに含み、
前記第１電極、第２電極及び第３電極が交差する地点に対応して放電セルが形成される、請求項１〜７のいずれか一項に記載のプラズマ表示装置。
【請求項１４】
複数の第１電極及び前記複数の第１電極と共に表示動作を行う複数の第２電極を含むプラズマ表示装置で、一つのフレームを各々の加重値を有する複数のサブフィールドに分けて駆動する方法において、
入力される映像データから各サブフィールドにおける画面負荷率を決定する段階と、
前記画面負荷率によって前記各サブフィールドにおける維持放電パルスの周波数を決定する段階と、
前記各サブフィールドで前記決定された維持放電パルスの周波数によって前記維持放電パルスを前記第１及び第２電極のうちの少なくとも一つの電極に印加して画像を表示する段階とを含むプラズマ表示装置の駆動方法。
【請求項１５】
第１サブフィールドより大きい画面負荷率を有する第２サブフィールドにおける維持放電パルスの周波数を前記第１サブフィールドにおける前記維持放電パルスの周波数より高く設定する、請求項１４に記載のプラズマ表示装置の駆動方法。
【請求項１６】
第１サブフィールドより大きい画面負荷率を有する第２サブフィールドにおける維持放電パルスの電圧変更時間を前記第１サブフィールドにおける前記維持放電パルスの電圧変更時間より短く設定する、請求項１４に記載のプラズマ表示装置の駆動方法。
【請求項１７】
複数の第１電極及び前記複数の第１電極と共に表示動作を行う複数の第２電極を含むプラズマ表示装置を駆動する方法において、
入力される映像データから各フレームにおける画面負荷率を決定する段階と、
前記画面負荷率によって前記各フレームにおける維持放電パルスの周波数を決定する段階と、
前記各フレームで前記決定された維持放電パルスの周波数によって前記維持放電パルスを前記第１及び第２電極のうちの少なくとも一つの電極に印加して画像を表示する段階とを含むプラズマ表示装置の駆動方法。
【請求項１８】
第１フレームより大きい画面負荷率を有する第２フレームにおける維持放電パルスの周波数を前記第１フレームにおける前記維持放電パルスの周波数より高く設定する、請求項１７に記載のプラズマ表示装置の駆動方法。
【請求項１９】
第１フレームより大きい画面負荷率を有する第２フレームにおける維持放電パルスの電圧変更時間を前記第１フレームにおける前記維持放電パルスの電圧変更時間より短く設定する、請求項１７に記載のプラズマ表示装置の駆動方法。
【請求項２０】
少なくとも二つの電極によって形成される放電セルを含むプラズマ表示パネルと、
維持期間で前記二つの電極のうちの少なくとも一つの電極に維持放電パルスを印加する駆動部と、
一つのフレームを各々の加重値を有する複数のサブフィールドに分割して駆動し、各サブフィールドで前記維持放電パルスによる有効電力と前記維持放電パルスによる無効電力の合計が最少になる周波数を前記サブフィールドにおける前記維持放電パルスの周波数で決定する制御部とを含むプラズマ表示装置。
【発明の詳細な説明】
【技術分野】
【０００１】
本発明はプラズマ表示装置及びその駆動方法に関するものである。
【背景技術】
【０００２】
プラズマ表示装置は気体放電によって生成されたプラズマを利用して文字または映像を表示するプラズマ表示パネルを利用する表示装置である。このようなプラズマ表示パネルにはその大きさによって数十から数百万個以上の画素（放電セル）がマトリックス形態に配列されている。
【０００３】
一般にプラズマ表示装置は一つのフレームを各々の加重値を有する複数のサブフィールドに分割して駆動し、各サブフィールドは時間的な動作変化で表現すれば、リセット期間、アドレス期間及び維持期間で構成される。ここで、リセット期間はセルにアドレシング動作を円滑に行うために各セルの状態を初期化させる期間であり、アドレス期間はパネルで点灯される放電セルを区別するために、点灯される放電セルに壁電荷を蓄積する動作を行う期間である。
【０００４】
維持期間では対をなす走査電極と維持電極に維持放電パルスが交互に印加される。アドレス期間でアドレス放電によって走査電極と維持電極との間に壁電圧が形成されていれば、壁電圧と維持放電パルスによって走査電極と維持電極との間で維持放電が起こって画像が表示される。
【０００５】
しかし、プラズマ表示装置では放電のために高いレベルの電圧が使用されるので、画面負荷率が大きい場合（つまり、多くの放電セルが点灯される場合）には消費電力があまりに高くなる。したがって、プラズマ表示装置では一般的に一つのフレームの間の画面負荷率によって維持放電パルスの個数を調節して消費電力が一定値を超えないように制御する技術が使用される。このような消費電力制御技術は単純に一つのフレームの間の画面負荷率によって消費電力のみを制御し、放電効率などについては考慮しない技術である。
【発明の開示】
【発明が解決しようとする課題】
【０００６】
そこで、本発明はこのような問題に鑑みてなされたもので、その目的とするところは、 プラズマ表示装置で消費電力を最少化する方法を提供することにある。
【課題を解決するための手段】
【０００７】
上記課題を解決するために、本発明は、サブフィールドで画面負荷率によって維持放電パルスの周波数を変更する。
本発明の一つの特徴によれば、プラズマ表示パネル、駆動部及び制御部を含むプラズマ表示装置が提供される。プラズマ表示パネルは複数の第１電極及び第１電極と共に表示動作を行う複数の第２電極を含む。駆動部は維持期間で第１電極の電圧から第２電極の電圧を引いた電圧が正の電圧と負の電圧を交互に有するように前記第１電極と第２電極のうちの少なくとも一つの電極に維持放電パルスを印加する。制御部は一つのフレームを各々の加重値を有する複数のサブフィールドに分割して駆動し、各サブフィールドまたは各フレームの画面負荷率を計算して前記維持放電パルスの周波数を制御する。
【０００８】
本発明の一つの実施形態によれば、制御部は第１画面負荷率を有する第１サブフィールドにおける前記維持放電パルスの周波数を前記第１画面負荷率より大きい第２画面負荷率を有する第２サブフィールドにおける前記維持放電パルスの周波数と異ならせて設定する。
この時、制御部は前記第２サブフィールドにおける前記維持放電パルスの周波数を前記第１サブフィールドにおける前記維持放電パルスの周波数より高く設定することができる。或いは、制御部は前記第２サブフィールドにおける前記維持放電パルスの電圧変更時間を前記第１サブフィールドにおける前記維持放電パルスの電圧変更時間より短く設定することができる。
【０００９】
本発明の他の実施形態によれば、制御部は第１画面負荷率を有する第１フレームにおける前記維持放電パルスの周波数を前記第１画面負荷率より大きい第２画面負荷率を有する第２フレームにおける前記維持放電パルスの周波数と異ならせて設定する。
この時、制御部は前記第２フレームにおける前記維持放電パルスの周波数を前記第１フレームにおける前記維持放電パルスの周波数より高く設定することができる。または、制御部は前記第２フレームにおける前記維持放電パルスの電圧変更時間を前記第１フレームにおける前記維持放電パルスの電圧変更時間より短く設定することができる。
【００１０】
本発明の他の特徴によれば、複数の第１電極及び複数の第１電極と共に表示動作を行う複数の第２電極を含むプラズマ表示装置で一つのフレームを各々の加重値を有する複数のサブフィールドに分けて駆動する方法が提供される。本発明の駆動方法によれば、入力される映像データから各サブフィールドにおける画面負荷率が決定され、前記画面負荷率によって前記各サブフィールドにおける維持放電パルスの周波数が決定される。そして、前記各サブフィールドで前記決定された維持放電パルスの周波数によって前記維持放電パルスが前記第１及び第２電極のうちの少なくとも一つの電極に印加されて画像が表示される。
【００１１】
本発明の他の特徴によれば、複数の第１電極及び複数の第１電極と共に表示動作を行う複数の第２電極を含むプラズマ表示装置を駆動する方法が提供される。本発明の駆動方法によれば、入力される映像データから各フレームにおける画面負荷率が決定され、前記画面負荷率によって前記各フレームにおける維持放電パルスの周波数が決定される。そして、前記各フレームで前記決定された維持放電パルスの周波数によって前記維持放電パルスが前記第１及び第２電極のうちの少なくとも一つの電極に印加されて画像が表示される。
【００１２】
本発明の他の特徴によるプラズマ表示装置の制御部は、一つのフレームを各々の加重値を有する複数のサブフィールドに分割して駆動し、各サブフィールドで前記維持放電パルスによる有効電力と前記維持放電パルスによる無効電力の合計が最少になる周波数を前記サブフィールドにおける前記維持放電パルスの周波数と決定する。
【発明の効果】
【００１３】
本発明によれば、サブフィールドまたはフレームの画面負荷率によって維持放電パルスの周波数を異ならせて、無効電力と有効電力によって決定される消費電力を最少にすることができる。
【発明を実施するための最良の形態】
【００１４】
以下、添付した図面を参照して本発明の実施形態について本発明の属する技術分野における通常の知識を有する者が容易に実施できるように詳細に説明する。しかし、本発明は多様で相異なる形態に実現することができ、ここで説明する実施形態に限定されない。
【００１５】
図１は本発明の実施形態によるプラズマ表示装置の概略的な図面であり、図２は本発明の実施形態による維持放電パルスを示す図面である。
図１に示したように、本発明の実施形態によるプラズマ表示装置はプラズマ表示パネル１００、制御部２００、アドレス電極駆動部３００、維持電極駆動部４００及び走査電極駆動部５００を含む。
【００１６】
プラズマ表示パネル１００は列方向に伸びている複数のアドレス電極A１〜Am（以下、“A電極”と言う）、そして行方向に互いに対をなしながら伸びている複数の維持電極X１〜Xn（以下、“X電極”と言う）及び走査電極Y１〜Yn（以下、“Y電極”と言う）を含む。一般にX電極X１〜Xnは各Y電極Y１〜Ynに対応して形成され、X電極とY電極が維持期間で表示動作を行う。Y及びX電極Y１〜Yn、X１〜XnとA電極A１〜Amは互いに直交するように配置される。この時、A電極A１〜AmとX及びY電極X１〜Xn、Y１〜Ynの交差部にある放電空間が放電セルを形成する。
【００１７】
制御部２００は外部から映像信号を受信してアドレス駆動制御信号、維持電極駆動制御信号及び走査電極駆動制御信号を出力する。そして制御部２００は一つのフレームを各々の加重値を有する複数のサブフィールドに分割して駆動する。
アドレス期間において、走査電極駆動部５００はY電極Y１〜Ynが選択される順に（例えば、順次に）Y電極Y１〜Ynに走査パルスを印加し、アドレス電極駆動部３００は制御部２００からアドレス駆動制御信号を受信して各Y電極に走査パルスが印加されるたびに点灯される放電セルを選択するためのアドレス電圧を各A電極に印加する。つまり、アドレス期間で走査パルスが印加されたY電極と、そのY電極に走査パルスが印加される時にアドレス電圧が印加されたA電極によって形成される放電セルが点灯される放電セルに選択される。
維持期間において、維持電極駆動部４００と走査電極駆動部５００は制御部２００から制御信号を受信してX電極X１〜XnとY電極Y１〜Ynに維持放電パルスを交互に印加する。
【００１８】
以下では本発明の実施形態で使用される維持放電パルスについて図２を参照して説明する。
図２に示したように、本発明の実施形態で維持放電パルスは維持放電電圧Vsと接地電圧０Vを交互に有し、X電極とY電極に印加される維持放電パルスは反対位相を有する。この時、維持放電電圧Vsは点灯されない放電セルにおける誤放電を防止するために、X電極とY電極との間の放電開始電圧より低い電圧が使用される。
維持放電電圧Vsが放電開始電圧より低いので、Y電極とX電極に交互に印加される維持放電パルスによって維持放電が持続的に起こるためにはY電極とX電極との間に所定の壁電圧が形成される必要がある。つまり、Y電極に維持放電電圧Vsが印加され、X電極に接地電圧が印加されて維持放電が起こってY電極側に負の壁電荷が蓄積され、X電極側に正の壁電荷が蓄積された状態で、X電極に維持放電電圧Vsが印加され、Y電極に接地電圧が印加されて次の維持放電が起こり得る。したがって、維持放電パルスは電極に壁電荷を形成するために維持放電電圧Vsを一定期間の間、維持する必要がある。
【００１９】
そして、維持放電パルスを印加する時、Y電極とX電極は容量性負荷として作用するので、Y電極またはX電極に維持放電パルスを印加するためには容量性負荷に電荷を注入するための無効電力が消耗されて消費電力が増加する。したがって、プラズマ表示装置は無効電力を回収して再使用するために一般に電力回収回路を利用して維持放電パルスをY電極とX電極に印加する。電力回収回路はインダクタ及びY電極とX電極によって形成される容量性負荷の共振を利用して容量性負荷を放電させながら外部キャパシタにエネルギーを回収した後、共振を利用して容量性負荷を再び充電する時、外部キャパシタに充電されたエネルギーを利用する。このような電力回収回路は図１の維持電極駆動部４００及び/または走査電極駆動部５００に形成される。
【００２０】
電力回収回路を利用して、例えばY電極に維持放電パルスを印加するためにはY電極の電圧を０VからVs電圧に増加させたり、Vs電圧から０Vに減少させなければならないが、Y電極の電圧は瞬間的に変更することができない。つまり、図２に示したように共振によってY電極の電圧が０VからVs電圧に増加するが、一定の時間（以下、“上昇時間“と言う）がかかり、同様にY電極の電圧がVs電圧から０Vに減少するのに一定の時間（以下、“下降時間“と言う）がかかる。
【００２１】
次に、このような上昇時間と下降時間を持つ維持放電パルスの周波数と放電効率との間の関係について図３、図４A乃至図４D、図５を参照して説明する。
図３は、Y電極とX電極との間の間隔が０．００７５cm、維持放電電圧が２２０V、放電空間内の気体圧力が４５０Torr、放電空間内に放電ガスとして注入されるキセノン（Xe）の分圧が２５％である場合、維持放電パルスの周波数と放電効率との間の関係を測定した結果である。そして放電効率は輝度と消費電力の比（輝度/消費電力）で測定された。図４A乃至図４Dは各々維持放電パルスの周波数が２００kHz、４００kHz、５００kHz及び７００kHzである時の維持放電パルスを示す図面である。図５は維持放電パルスの上昇時間による電力回収回路の電力回収率を示す図面である。
【００２２】
図３に示したように、維持放電パルスの周波数が増加することによって放電効率が増加することが分かる。これは周波数が増加すれば、直前の維持放電によって形成されたプライミング粒子によって次の維持放電が円滑に起こり得るためである。しかし、維持放電パルスの周波数が７５０kHzを超えれば、再び放電効率が減少するが、これは前述した電力回収回路と関連がある。
【００２３】
図４A及び図４Bに示したように、維持放電パルスの周波数が２００kHzから４００kHzに増加すれば、維持放電電圧Vsに維持される時間が１８００nsから５５０nsに減る。そして、この期間が壁電荷形成に必要な最少時間（例えば、５５０ns）まで減った場合、その後には維持放電パルスの上昇時間と下降時間が減る。つまり、図４C及び図４Dに示したように、維持放電パルスの周波数が５００kHzである場合には上昇時間と下降時間が各々２２５nsに減り、維持放電パルスの周波数が７００kHzである場合には上昇時間と下降時間が各々８０nsに減る。
【００２４】
維持放電パルスで上昇時間と下降時間は共振を形成する容量性成分と誘導性成分によって決定されるが、容量性成分はプラズマ表示パネルの特性によって決定される値であるので、電力回収回路に使用されるインダクタの大きさを調節することによって上昇時間と下降時間を調節することができる。つまり、インダクタの大きさを小さくすれば、維持放電パルスの上昇時間と下降時間を早くすることができる。
【００２５】
一般にX電極及びY電極駆動部４００、５００とX電極及びY電極を連結する時、可撓性印刷回路基板（FPC）、パターンなどが使用され、このようなFPC、パターンなどには寄生インダクタンス成分が存在する。しかし、インダクタの大きさが小さくなれば、上昇時間と下降時間で共振が形成される時に寄生インダクタンス成分の影響が大きくなって電力回収回路の電力回収率が減少するしかない。つまり、図５に示したように維持放電パルスの上昇時間が短くなるほど、電力回収率が減少することが分かる。このように電力回収率が減少すれば、無効電力が増加する。
【００２６】
再び図３、図４A乃至図４Dを参照すれば、周波数が４００kHz以下の範囲では無効電力が同一であるので周波数の増加によって有効電力が減少し放電効率が増加する。そして、周波数が４００kHzと７００kHzとの間の範囲では無効電力が増加するが、無効電力の増加量が有効電力の減少量より少なくて放電効率が増加する。また、周波数が７００kHz以上の範囲では無効電力の増加量が有効電力の減少量より大きいために放電効率が減少することが分かる。つまり、図３では維持放電パルスの周波数がほぼ７００kHzである時に消費電力が最少になって放電効率が最大となる。
【００２７】
しかし、無効電力は維持放電パルスの上昇期間と下降期間によって決定されるので、画面で点灯される放電セルの個数に関係なく一定であるが、有効電力は維持放電によって発生するので点灯される放電セルの個数に影響がある。したがって、点灯される放電セルの個数が多い場合には有効電力が高いので、維持放電パルスの周波数が増加すれば無効電力の増加量に比べて有効電力の減少量が相対的に増加する。つまり、点灯される放電セルの個数が図３の測定条件より多い場合には無効電力の増加量に対する有効電力の減少量が増加するので、７００kHzより高い周波数まで放電効率が増加し得る。同様に、点灯される放電セルの個数が図３の測定条件より少ない場合には無効電力の増加量に対する有効電力の減少量が減少するので、７００kHzより低い周波数までのみ放電効率が増加し得る。
【００２８】
このように、放電効率の上昇が期待できる維持放電パルスの周波数が点灯される放電セルの個数によって差があるので、本発明の実施形態では点灯される放電セルの個数によって維持放電パルスの周波数を異らせる。以下ではこのような維持放電パルスの周波数を制御する制御部２００について図６及び図７を参照して詳細に説明する。
【００２９】
図６は本発明の実施形態による制御部２００の概略的なブロック図であり、図７は維持放電パルスの周波数による無効電力と有効電力との間の関係を示す図面である。
図６に示したように、制御部２００は画面負荷率計算部２１０、維持放電制御部２２０及びサブフィールド制御部２３０を含む。
【００３０】
画面負荷率計算部２１０は入力される映像データから各サブフィールドの画面負荷率と一つのフレームの画面負荷率を計算する。ここで、各サブフィールドの画面負荷率は当該サブフィールドで点灯される放電セルの個数に定義され、一つのフレームの画面負荷率は一つのフレームの映像データの平均信号レベル（ASL）に定義される。
【００３１】
画面負荷率計算部２１０は各放電セルに対応する映像データから各放電セルの各サブフィールドにおけるオン／オフの可否を判断した後、各サブフィールドで点灯される放電セルの個数を合せて当該サブフィールドの画面負荷率を決定する。例えば、一つのフレームは、各々の加重値が１、２、２２、２３、２４、２５、２６、２７である８個のサブフィールドSF１〜SF８に分離されると仮定すれば、１３９階調の映像データに対応するサブフィールドデータはサブフィールド順で“１１０１０００１”になる。ここで、‘１’は当該サブフィールドに放電セルが点灯されることを示し、‘０’は当該サブフィールドで放電セルが消灯されることを示す。このように、放電セルに対応する映像データから各サブフィールドにおけるオン／オフの可否が分かるので、各サブフィールドの画面負荷率を計算することができる。
【００３２】
そして、画面負荷率計算部２１０は［数１］に示したように平均信号レベルを計算し、平均信号レベル（ASL）が大きければ一つのフレームの画面負荷率を大きい値に決定し、平均信号レベル（ASL）が小さければ一つのフレームの画面負荷率を小さい値に決定する。
【００３３】
【数１】
2006146157.tif 000003
ここで、Rn、Gn、Bnは各々R、G、B映像データの信号レベルであり、Vは一つのフレームであり、３Nは一つのフレームの間に入力されたR、G、B映像データの個数である。
【００３４】
次に、維持放電制御部２２０は一つのフレームの画面負荷率によって一つのフレームに割当てられる維持放電パルスの全個数を決定する。つまり、フレームの画面負荷率が大きければ消費電力が増加するので、維持放電制御部２２０は維持放電パルスの全個数を減らす。フレームの画面負荷率が小さければ点灯される放電セルが少なくて消費電力が減少するので、維持放電制御部２２０は維持放電パルスの全個数を増やす。このような維持放電パルスの全個数と画面負荷率との間の関係はルックアップテーブル形態にメモリに保存されていても良い。このように決定された維持放電パルスは各サブフィールドの加重値に比例して各サブフィールドに割当てられる。
【００３５】
そして、維持放電制御部２２０は各サブフィールドの画面負荷率によって維持放電パルスの周波数を決定する。前述したように、画面負荷率が高い場合には有効電力が増加するので、維持放電パルスの周波数増加によって有効消費電力の減少量も増加する。したがって、画面負荷率が高い場合では最適周波数は画面負荷率が相対的に小さい場合に比べて高く設定される。そして画面負荷率による維持放電パルスの周波数はサブフィールド別にルックアップテーブルの形態に維持放電制御部２２０のメモリに保存されていても良い。
【００３６】
サブフィールド制御部２３０は維持放電制御部２２０で決定された各サブフィールドの維持放電パルス周波数によってX電極及びY電極駆動部４００、５００がX電極及びY電極に維持放電パルスを印加するようにX電極及びY電極駆動部４００、５００を制御する。また、サブフィールド制御部２３０は放電セルの各サブフィールドにおけるオン／オフの可否を示すサブフィールドデータによってA電極駆動部３００を制御する。
つまり、A電極駆動部３００は放電セルのサブフィールドデータが‘１’であるサブフィールドでは当該放電セルのY電極に走査パルスが印加される時、前記放電セルのA電極にアドレスパルスを印加する。そしてA電極駆動部３００は放電セルのサブフィールドデータが‘０’であるサブフィールドでは前記放電セルのY電極に走査パルスが印加される時、前記放電セルのA電極に非アドレス電圧を印加する。
【００３７】
そして図６に示していないが、制御部２００はアナログ映像信号が入力される場合、これをデジタル映像データに変換するためのアナログ/デジタル変換機及びガンマ補正された映像データが入力される場合に、これを補正するためのガンマ補正機をさらに含むことができる。また、制御部２００は映像データの階調表現力を高めるために映像データの誤差を隣接セルに拡散する誤差拡散処理を行うこともできる。
【００３８】
次に、図７を参照して画面負荷率による維持放電パルスの周波数を決定する方法について説明する。
まず、任意のサブフィールドで一つのフレームの画面負荷率によって決定される維持放電パルスの全個数によって当該サブフィールドに割当てられる維持放電パルスの個数が決定される。次に、維持放電パルスの個数が決定された当該サブフィールドにおける有効電力と無効電力が維持放電パルスの周波数によって測定される。
その結果、図７に示したように、有効電力EPは維持放電パルスの周波数が増加することによって減少し、無効電力NPは維持放電パルスの周波数が一定の周波数（図７では４００kHz）を超えれば周波数が増加することによって増加する。次に、有効電力EPと無効電力NPの合計で消費電力CPが測定され、この消費電力CPが最少になる周波数が維持放電パルスの周波数に決定される。
【００３９】
このような過程が全ての画面負荷率及び全てのサブフィールドに対して行われて画面負荷率による各サブフィールドの維持放電パルスの周波数が決定され、この値がルックアップテーブルなどの形態でメモリに保存される。維持放電制御部２２０は画面負荷率によってメモリに保存されたルックアップテーブルを読み込んで当該サブフィールドにおける維持放電パルスの周波数を決定する。そして、このような維持放電パルスの周波数は前述したようにサブフィールドの画面負荷率が増加することによって増加する。
【００４０】
以上、本発明の実施形態では維持放電パルスとして図２の形態を仮定して説明したが、本発明はこのような形態の維持放電パルスに限定されず、多様な形態の維持放電パルスに適用することができる。
【００４１】
図８及び図９は各々本発明の他の実施形態による維持放電パルスを示す図面である。
図８に示したように、X電極とY電極に印加される維持放電パルスはVs/２電圧と-Vs/２電圧を交互に有し、X電極とY電極に印加される維持放電パルスは反対位相を有する。このようにすれば、維持放電パルスによってY電極とX電極の電圧差はVsと-Vsを交互に有することができる。
【００４２】
図９に示したように、X電極が接地電圧でバイアスされた状態でY電極にVs電圧と-Vs電圧を交互に有する維持放電パルスが印加される。このようにすれば、維持放電パルスによってY電極とX電極の電圧差はVsと-Vsを交互に有することができる。
【００４３】
以上、本発明の実施形態ではA電極、Y電極及びX電極の３電極形態のプラズマ表示パネルを例として説明したが、本発明は前述した維持放電パルスを印加して維持放電を起こせる他の形態のプラズマ表示パネルにも適用することができる。
また、本発明の実施形態ではサブフィールド別に画面負荷率を計算して維持放電パルスの周波数を決定したが、フレーム別に画面負荷率を計算してフレーム別に維持放電パルスの周波数を決定することもできる。つまり、画面負荷率の大きいフレームにおける維持放電パルスの周波数を画面負荷率の小さいフレームにおける維持放電パルスの周波数より高く設定することができる。そして、画面負荷率の大きいフレームにおける維持放電パルスの電圧変更時間を画面負荷率の小さいフレームにおける維持放電パルスの電圧変更時間より短く設定することができる。
【００４４】
以上、本発明の実施形態について詳細に説明したが、本発明の権利範囲はこれに限定されず、請求範囲で定義している本発明の基本概念を利用した当業者の多様な変形及び改良形態もまた本発明の権利範囲に属するものと了解される。
【図面の簡単な説明】
【００４５】
【図１】本発明の実施形態によるプラズマ表示装置の概略的な図面である。
【図２】本発明の実施形態による維持放電パルスを示す図面である。
【図３】維持放電パルスの周波数と放電効率との間の関係を測定した図面である。
【図４Ａ】維持放電パルスの周波数が２００kHzである時の維持放電パルスを示す図面である。
【図４Ｂ】維持放電パルスの周波数が４００kHzである時の維持放電パルスを示す図面である。
【図４Ｃ】維持放電パルスの周波数が５００kHzである時の維持放電パルスを示す図面である。
【図４Ｄ】維持放電パルスの周波数が７００kHzである時の維持放電パルスを示す図面である。
【図５】維持放電パルスの上昇時間による電力回収回路の電力回収率を示す図面である。
【図６】本発明の実施形態による制御部２００の概略的なブロック図である。
【図７】維持放電パルスの周波数による無効電力と有効電力との間の関係を示す図面である。
【図８】本発明の他の実施形態による維持放電パルスを示す図面である。
【図９】本発明の他の実施形態による維持放電パルスを示す図面である。
【符号の説明】
【００４６】
１００  プラズマ表示パネル
２００  制御部
２１０  画面負荷率計算部
２２０  維持放電制御部
２３０  サブフィールド制御部
３００  アドレス電極駆動部
４００  維持電極駆動部
５００  走査電極駆動部
ASL  平均信号レベル
A１〜Am  アドレス電極（A電極）
CP  消費電力
EP  有効電力
NP  無効電力
SF１〜SF８  サブフィールド
X１〜Xn  維持電極（X電極）
Y１〜Yn  走査電極（Y電極）
Vs  維持放電電圧
【図１】
2006146157.tif 000004
【図２】
2006146157.tif 000005
【図３】
2006146157.tif 000006
【図４Ａ】
2006146157.tif 000007
【図４Ｂ】
2006146157.tif 000008
【図４Ｃ】
2006146157.tif 000009
【図４Ｄ】
2006146157.tif 000010
【図５】
2006146157.tif 000011
【図６】
2006146157.tif 000012
【図７】
2006146157.tif 000013
【図８】
2006146157.tif 000014
【図９】
2006146157.tif 000015